Podtech/llm-jp-corpus-v4-ja_patent huggingface dataset:
(57)【要約】      （修正有）【課題】隅が拭きやすいＴ字型モップへの着脱が容易な雑巾を提供する。【解決手段】棒状の先端部１１０と、先端部の中間から、直交する方向に延びる把持部１２０を備えるＴ字型モップ１００の先端部に取り付けられる雑巾１であって、略直方形形状に形成された本体１０と、本体の長辺の互いに対向する一対の側縁１１に、それぞれ設けられ、互いに着脱自在な一対の固定部２０と、を備え、本体の中央において、長辺に沿って、モップの先端部が配置され、先端部をくるむ様に一対の側縁を互いに重ね合わせ、固定部を互いに固定することで、モップに取り付ける。【選択図】図１
0003195318.tif 000002
【実用新案登録請求の範囲】
【請求項１】
棒状の先端部と、先端部の中間に固定され、先端部と直交する方向に延びる把持部を備えるT字型モップの先端部に取り付けられる雑巾であって、
略直方形形状に形成された本体と、
本体の長辺の互いに対向する一対の側縁に、それぞれ設けられ、互いに着脱自在な一対の固定部と、を備え、
本体の中央において、本体の長辺に沿って、モップの先端部が配置され、先端部をくるむ様に本体の一対の側縁を互いに重ね合わせ、一対の固定部を互いに固定することで、モップに取り付けられることを特徴とする雑巾。
【考案の詳細な説明】
【技術分野】
【０００１】
T字型モップの先端部に取り付けられる雑巾に関するものである。
【背景技術】
【０００２】
直立姿勢で雑巾がけができるモップを使った製品は市販されているが次の欠点がある。Ｔ字型モップについた沢山のひも状の雑巾はモップに取り付けるのに力が必要である。指先、腕等に力が入らない人には取り付けるのが難しい。ひも状の雑巾は雑巾を絞るのに力が必要である。力がないものにとっては、絞るのは難しい。又絞り機を使う場合には用意が必要であり、相当の力が必要である。四角型のモップに取り付けた雑巾は隅が拭きにくい欠点がある。特許文献1には「水拭き平面雑巾付きモップにおいて、雑巾が装着された平面板の杖が付いた側に、マジックテ−プ（登録商標）を設けたことにより、フロ−リング用のワイパ−シ−トを装着できることを特徴とするモップ。」が開示されている。
【先行技術文献】
【特許文献】
【０００３】
【特許文献１】実用新案登録第3144650号公案
【考案の概要】
【考案が解決しようとする課題】
【０００４】
しかしながら、四角型のモップに取り付けた雑巾は隅が拭きにくい欠点がある。本考案は、隅が拭きやすいＴ字型モップへの着脱が容易な雑巾を提供することを目的とする。
【課題を解決するための手段】
【０００５】
棒状の先端部と、先端部の中間に固定され、先端部と直交する方向に延びる把持部を備えるT字型モップの先端部に取り付けられる雑巾であって、略直方形形状に形成された本体と、本体の長辺の互いに対向する一対の側縁に、それぞれ設けられ、互いに着脱自在な一対の固定部と、を備え、本体の中央において、本体の長辺に沿って、モップの先端部が配置され、先端部をくるむ様に本体の一対の側縁を互いに重ね合わせ、一対の固定部を互いに固定することで、モップに取り付けられる雑巾。
【考案の効果】
【０００６】
本考案は、隅が拭きやすいＴ字型モップへの着脱が容易な雑巾を提供することを目的とする。
【図面の簡単な説明】
【０００７】
【図１】本発明の実施形態に係わる雑巾１をモップ１００に取り付けた状態を示す図。
【図２】本発明の実施形態に係わる雑巾１をモップ１００から取り外した状態を示す図。
【考案を実施するための形態】
【０００８】
棒状の先端部１１０と、先端部１１０の中間から、先端部１１０と直交する方向に延びる把持部１２０を備えるT字型モップ１００の先端部１１０に取り付けられる雑巾１であって、略直方形形状に形成された本体１０と、本体１０の長辺の互いに対向する一対の側縁１１に、それぞれ設けられ、互いに着脱自在な一対の固定部２０と、を備え、本体１０の中央において、本体１０の長辺に沿って、モップの先端部１１０が配置され、先端部１１０をくるむ様に本体の一対の側縁１１を互いに重ね合わせ、一対の固定部２０を互いに固定することで、モップ１００に取り付けられる雑巾1。
【０００９】
固定部２０は、例えば、面ファスナで構成されている。また、固定部２０は、面ファスナに加え、更に、紐又はクリップで補強してもよい。
【００１０】
本実施形態によれば、例えば、面ファスナで止めるので軽い力で止められる。また、例えば、部屋の隅を拭けるように本体１０を先端部１１０より長くし、横にはみ出した部分で拭くので隅など、拭き残しが少ない。雑巾１は、例えば、面ファスナでとめるので、止める場所が一目で分かり、力のない人でも容易に取り付けられる。雑巾１は軽い力で絞れる。面ファスナで取り外せるので、雑巾１の新しい面（例えば、使用した面の裏面）を素早く出すことができる。
【符号の説明】
【００１１】
1    雑巾
10    本体
11    側縁
20    固定部
100    モップ
110    先端部
120    把持部
【図１】
0003195318.tif 000003
【図２】
0003195318.tif 000004
(57)【要約】      （修正有）【課題】ミシン縫製により封緘される袋体において、使用時に縫製された糸が緩むことを防止する封緘形態を提供する。【解決手段】袋本体１の一方の口端部を、ホットメルト系接着剤４が積層されたオーバーテープ３により閉塞し、さらにオーバーテープ３の上に補強紙を重ねた後、ミシン縫製により封緘してなることを特徴とする包装袋。【選択図】図２
0003195661.tif 000002
【実用新案登録請求の範囲】
【請求項１】
口端部が直線切りされた１又は複数層のひだ付袋本体と、前記袋本体の一方の口端部において、一方の壁面から他方の壁面へ折り曲げた状態で口端部にホットメルト系接着剤により貼着して閉塞し、かつその両端が前記口端部の幅方向よりも外側に延伸されているオーバーテープと、前記オーバーテープ上に重ねられた補強紙と、からなり、前記補強紙の上からミシン縫製して封緘されてなることを特徴とする包装袋。
【考案の詳細な説明】
【技術分野】
【０００１】
本考案は、筒状体の一端をミシン縫製により封緘して形成される包装袋の改良に関する。
【背景技術】
【０００２】
粉流体を包装する袋の封緘部の形状にいくつか種類があるが、口端部を補強紙で塞ぎ、補強紙の上からミシン縫製して口端部を封緘する方法がある。包装袋に粉流体などの内容物を入れた際に縫製部に加重が掛かることで糸が緩むことがあることから、補強紙を包装袋の口端部よりも両側に延長してミシン縫製することにより、多少の糸の緩みでも口端部が開いて内容物が漏れ出さないようにしている。
【０００３】
包装袋を封緘している糸の縫い目より粉体が漏れないようにするため、縫製部を含む補強紙の上からオーバーテープを貼り付けることもある。オーバーテープは、特許文献１のようにその片面に塗工されている接着剤により貼り付けられたり、特許文献２のようにその一部のみを貼着させたりすることもある。
【先行技術文献】
【特許文献】
【０００４】
【特許文献１】実開昭５３−０４６９１５号公開公報
【特許文献２】実開昭６３−００３９４７号公開公報
【考案の概要】
【考案が解決しようとする課題】
【０００５】
縫製された糸が表面に出た状態を残しつつも、糸が緩まないようにとの要望がある。糸の移動を防ぐために、縫製部分にあたる補強紙の内側にでんぷん糊等の接着剤を付けてミシン縫製する方法もあるが、未硬化の接着剤によりミシン針がうまく通過できずに折損したり、未硬化の接着剤が糸に付着して袋表面に漏れ出したりするという問題がある。
【課題を解決するための手段】
【０００６】
上記問題点を解決するために、
本考案では、筒状体の口端部を、ホットメルト系接着剤を用いたオーバーテープで閉塞し、オーバーテープの上に補強紙を重ね合わせたところを、補強紙の上からミシン縫製して封緘することを特徴としている。
【考案の効果】
【０００７】
口端部のオーバーテープでの封緘にホットメルト系接着剤を用いることで、未硬化の接着剤による挿通抵抗が発生し難くなることによるミシン縫製時のミシン針折損などのトラブルが発生しなくなる。そして、袋本体とオーバーテープとをホットメルト系接着剤にて固定されるため、内容物を充填した際に袋本体とオーバーテープとが細かくズレることによるものと推測される縫製糸の緩みが発生しない。さらには、オーバーテープの上に補強紙を合わせてミシン縫製するため、縫製部分が補強されるだけでなく、ミシン針や糸につられて接着剤が表面に引き出されることがないため、見た目もきれいな状態が保たれる。
【図面の簡単な説明】
【０００８】
【図１】本考案に方法により袋本体の口端部を封緘した状態を示した図である。
【図２】図１のＥ−Ｅ’の断面図（内容物を充填した状態）である。
【考案を実施するための形態】
【０００９】
図１は、本考案に係る、袋本体の一部が封緘された状態を表した図である。幅方向の中心側に折り込んだひだ部が形成された筒状の袋本体１の一端を、最外層が補強紙２となるようにその内側にあるオーバーテープを覆い、ミシン縫製により糸５で封緘している。補強紙２は、その内側にあるオーバーテープと同じ長さだけ、袋本体１の幅方向に延伸されている。
【００１０】
図２は、図１の袋に内容物を充填した後のＥ−Ｅ’断面を示した図である。袋本体１の口端部を、ホットメルト系接着剤４を片面に有するオーバーテープ３を長さ方向に半分に折り曲げた状態で接着して閉塞させ、オーバーテープ３の上を補強紙５で覆った後に、ミシン縫製により糸５で封緘している。
【００１１】
内容物の充填された袋を移動したり、積み重ねたりすることにより内容物が袋内で移動を繰り返すことにより、応力が縫製されている糸５に集中しやすくなる。このとき糸５により固定されてるはずの対向する袋本体１同士が、従来であればわずかなずれを繰り返すことにより糸に緩みが生じてしまうが、本考案のように口端部をホットメルト系接着剤が塗られたオーバーテープ３を用いて閉塞させることで、対向する袋本体１同士の可動範囲が制限されることで糸５に緩みが生じ難くなっている。
【符号の説明】
【００１２】
１・・・・・・・・袋本体
２・・・・・・・・補強紙
３・・・・・・・・オーバーテープ
４・・・・・・・・ホットメルト系接着剤
５・・・・・・・・糸
【図１】
0003195661.tif 000003
【図２】
0003195661.tif 000004
(57)【要約】      （修正有）【課題】複数のシート状商品見本の特徴を容易に比較及び確認することができる商品見本提示物を提供する。【解決手段】それぞれ同一の大きさを有し、商品見本台２０上に積層するように載置された複数のシート状商品見本であって、最上層以外のシート状商品見本Ｓ１０〜Ｓ３０の一部が露出するように階段状に積層され、商品見本台に接触する接触面側端部Ｓ１０Ｅ〜Ｓ４０Ｅが商品見本台に接着された複数のシート状商品見本Ｓ１０〜Ｓ４０と、それぞれのシート状商品見本の近傍に、対応付けるように設けられた複数の商品番号表示領域Ｎ１０〜Ｎ４０とを備える。【選択図】図１
0003195681.tif 000002
【実用新案登録請求の範囲】
【請求項１】
商品見本台と、
それぞれ同一の大きさを有し、前記商品見本台上に積層するように載置された複数のシート状商品見本であって、前記商品見本台側に配置される前記シート状商品見本の一部が露出するように階段状に積層され、前記商品見本台に接触する接触面側端部が前記商品見本台に接着された前記複数のシート状商品見本と、
前記商品見本台上のうち、前記複数のシート状商品見本の近傍に、前記複数のシート状商品見本に対応付けるようにそれぞれ設けられた複数の商品番号表示領域と
を備えることを特徴とする商品見本提示物。
【考案の詳細な説明】
【技術分野】
【０００１】
本考案は、商品見本提示物に関する。
【背景技術】
【０００２】
従来、例えば壁紙などのシート状商品見本を提示する目的として、これら複数のシート状商品見本の一端を綴じ込むことにより、商品見本帳を製作することが行われている。
【考案の概要】
【考案が解決しようとする課題】
【０００３】
本考案は、複数のシート状商品見本の特徴を容易に比較及び確認することができる商品見本提示物を提供することを目的とする。
【課題を解決するための手段】
【０００４】
本考案の一態様による商品見本提示物は、
商品見本台と、
それぞれ同一の大きさを有し、前記商品見本台上に積層するように載置された複数のシート状商品見本であって、前記商品見本台側に配置される前記シート状商品見本の一部が露出するように階段状に積層され、前記商品見本台に接触する接触面側端部が前記商品見本台に接着された前記複数のシート状商品見本と、
前記商品見本台上のうち、前記複数のシート状商品見本の近傍に、前記複数のシート状商品見本に対応付けるようにそれぞれ設けられた複数の商品番号表示領域と
を備える。
【考案の効果】
【０００５】
本考案の商品見本提示物によれば、複数のシート状商品見本の特徴を容易に比較及び確認することができる。
【図面の簡単な説明】
【０００６】
【図１】本考案の実施の形態による商品見本提示物の構成を示す平面図及び縦断面図である。
【考案を実施するための形態】
【０００７】
以下、本考案の実施の形態について図面を参照して説明する。
【０００８】
図１に、本考案の実施の形態による商品見本提示物１０の構成を示す。このうち、図１（ａ）は、商品見本提示物１０を上方から視認した場合の平面図を示し、図１（ｂ）は、図１（ａ）中のＡ−Ａ’線に沿って切断した場合の縦断面図を示す。
【０００９】
商品見本提示物１０では、商品見本を提示するための商品見本台として、例えば厚紙からなるシート状の商品見本台２０が使用されている。
【００１０】
また、商品見本提示物１０では、商品見本として、複数のシート状商品見本Ｓ１０〜Ｓ４０が用意され、これら複数のシート状商品見本Ｓ１０〜Ｓ４０は、例えば壁紙からなり、それぞれ同一の大きさ及び形状を有すると共に、それぞれ同一の柄（模様）であって、かつ異なる色彩が施されるように作成されている。
【００１１】
第１のシート状商品見本Ｓ１０は、商品見本台２０上に載置され、当該第１のシート状商品見本Ｓ１０のうち、商品見本台２０に接触する接触面側端部Ｓ１０Ｅが商品見本台２０に接着されている。
【００１２】
第２のシート状商品見本Ｓ２０は、第１のシート状商品見本Ｓ１０の一部が露出すように、商品見本台２０及び第１のシート状商品見本Ｓ１０上に載置され、当該第２のシート状商品見本Ｓ２０のうち、商品見本台２０に接触する接触面側端部Ｓ２０Ｅが商品見本台２０に接着されている。
【００１３】
第３のシート状商品見本Ｓ３０は、第２のシート状商品見本Ｓ２０の一部が露出すように、商品見本台２０及び第２のシート状商品見本Ｓ２０上に載置され、当該第３のシート状商品見本Ｓ３０のうち、商品見本台２０に接触する接触面側端部Ｓ３０Ｅが商品見本台２０に接着されている。
【００１４】
第４のシート状商品見本Ｓ４０は、第３のシート状商品見本Ｓ３０の一部が露出すように、商品見本台２０及び第３のシート状商品見本Ｓ３０上に載置され、当該第４のシート状商品見本Ｓ４０のうち、商品見本台２０に接触する接触面側端部Ｓ４０Ｅが商品見本台２０に接着されている。
【００１５】
また、商品見本台２０上には、第１〜第４のシート状商品見本Ｓ１０〜Ｓ４０の商品番号を表示するための商品番号表示領域Ｎ１０〜Ｎ４０がそれぞれ設けられ、これら商品番号表示領域Ｎ１０〜Ｎ４０は、第１〜第４のシート状商品見本Ｓ１０〜Ｓ４０に対応付けるようにして、第１〜第４のシート状商品見本Ｓ１０〜Ｓ４０が露出している近傍に、それぞれ配置されている。
【００１６】
このように本実施の形態によれば、複数のシート状商品見本のデザインや商品番号などを簡単に把握することができ、従って複数のシート状商品見本の特徴を容易に比較及び確認することができる。
【００１７】
なお、上述の実施の形態においては、複数のシート状商品見本として、第１〜第４のシート状商品見本Ｓ１０〜Ｓ４０を適用した場合について述べたが、本考案はこれに限らず、それぞれ同一の大きさを有し、商品見本台２０上に積層するように載置された複数のシート状商品見本であって、商品見本台２０側に配置されるシート状商品見本の一部が露出するように階段状に積層され、商品見本台２０に接触する接触面側端部Ｓ１０Ｅ〜Ｓ４０Ｅが商品見本台２０に接着された他の種々の複数のシート状商品見本を適用するようにしても良い。
【００１８】
また、上述の実施の形態においては、複数の商品番号表示領域として、商品番号表示領域Ｎ１０〜Ｎ４０を適用した場合について述べたが、本考案はこれに限らず、商品見本台２０上のうち、複数のシート状商品見本Ｓ１０〜Ｓ４０の近傍に、複数のシート状商品見本Ｓ１０〜Ｓ４０に対応付けるようにそれぞれ設けられた他の種々の商品番号表示領域を適用するようにしても良い。
【符号の説明】
【００１９】
１０  商品見本提示物
２０  商品見本台
Ｓ１０〜Ｓ４０  シート状商品見本
Ｓ１０Ｅ〜Ｓ４０Ｅ  接触面側端部
Ｎ１０〜Ｎ４０  商品番号表示領域
【図１】
0003195681.tif 000003
(57)【要約】      （修正有）【課題】片手だけで安定に保持でき、手のひら上で回転させることもでき、携帯端末の操作性を向上することができる携帯端末支持具を提供する。【解決手段】吸盤配置面側端部には第１の面ファスナー２０Ｆが設けられ、吸盤非配置面側端部には第２の面ファスナー２０Ｂが設けられ、中央部分には、貫通孔２０Ｈが穿設された手の指に巻き付けるための帯状のバンド２０と、貫通孔に挿通された軸４０と、軸の一端に取り付けられ、携帯端末に吸着及び固定するための吸盤３０と、軸の他端に取り付けられ、貫通孔の内径より大きい外径を有する軸受５０とを備える。【選択図】図１
0003195685.tif 000002
【実用新案登録請求の範囲】
【請求項１】
手の指に巻き付けるための帯状のバンドであって、吸盤配置面側端部には第１の面ファスナーが設けられると共に、吸盤非配置面側端部には第２の面ファスナーが設けられ、中央部分には、貫通孔が穿設された前記バンドと、
前記貫通孔に挿通された軸と、
前記軸の一端に取り付けられ、携帯端末に吸着及び固定するための吸盤と、
前記軸の他端に取り付けられ、前記貫通孔の内径より大きい外径を有する軸受と
を備えることを特徴とする携帯端末支持具。
【考案の詳細な説明】
【技術分野】
【０００１】
本考案は、携帯端末支持具に関する。
【背景技術】
【０００２】
近年、広く普及しているスマートフォンなどに代表される携帯端末は、ユーザの手のひらで支持され、ユーザは、指先で携帯端末の操作画面をタッチすることにより、操作するようになされている。
【考案の概要】
【考案が解決しようとする課題】
【０００３】
本考案は、携帯端末の操作性を向上することができる携帯端末支持具を提供することを目的とする。
【課題を解決するための手段】
【０００４】
本考案の一態様による携帯端末支持具は、
手の指に巻き付けるための帯状のバンドであって、吸盤配置面側端部には第１の面ファスナーが設けられると共に、吸盤非配置面側端部には第２の面ファスナーが設けられ、中央部分には、貫通孔が穿設された前記バンドと、
前記貫通孔に挿通された軸と、
前記軸の一端に取り付けられ、携帯端末に吸着及び固定するための吸盤と、
前記軸の他端に取り付けられ、前記貫通孔の内径より大きい外径を有する軸受と
を備える。
【考案の効果】
【０００５】
本考案の携帯端末支持具によれば、携帯端末の操作性を向上することができる。
【図面の簡単な説明】
【０００６】
【図１】本考案の実施の形態による携帯端末支持具の構成を示す平面図、底面図及び縦断面図である。
【図２】本考案の実施の形態による携帯端末支持具の構成を示す斜視図である。
【考案を実施するための形態】
【０００７】
以下、本考案の実施の形態について図面を参照して説明する。
【０００８】
図１に、本考案の実施の形態による携帯端末支持具１０の構成を示す。このうち、図１（ａ）は、携帯端末支持具１０を上方から視認した場合の平面図を示し、図１（ｂ）は、携帯端末支持具１０を下方から視認した場合の底面図を示し、図１（ｃ）は、図１（ａ）中のＡ−Ａ’線に沿って切断した場合の縦断面図を示す。図２は、携帯端末支持具１０をユーザの手に装着した場合の斜視図を示す。
【０００９】
携帯端末支持具１０は、手の指に巻き付けて使用するためのバンド２０と、例えばスマートフォンなどの携帯端末１１０に吸着及び固定するための吸盤３０とを有する。
【００１０】
バンド２０は、例えば布やゴムなど、種々の素材から製作され、当該バンド２０のうち、吸盤配置面側端部には面ファスナー２０Ｆが設けられ、吸盤非配置面側端部には面ファスナー２０Ｂが設けられている。
【００１１】
これにより、ユーザは、バンド２０を手の指に巻き付けた上で、面ファスナー２０Ｆ及び２０Ｂを吸着させることにより、バンド２０を手の指に固定させることができるようになされている。
【００１２】
バンド２０の中央部分には、貫通孔２０Ｈが穿設され、当該貫通孔２０Ｈには、軸４０が挿通されている。軸４０の一端には、吸盤３０が取り付けられると共に、軸４０の他端には、貫通孔２０Ｈの内径より大きい外径を有する軸受５０が取り付けられている。
【００１３】
ユーザが、例えばスマートフォンなどの携帯端末１１０を使用する際には、当該携帯端末１１０の裏面側の所望の位置に、携帯端末支持具１０の吸盤３０を吸着及び固定すると共に、携帯端末支持具１０のバンド２０を手の指に巻き付けた上で、面ファスナー２０Ｆ及び２０Ｂを吸着させることにより、バンド２０を手の指に固定させる。
【００１４】
このように本実施の形態によれば、片手だけでも安定した状態で、携帯端末１１０を容易に操作することができ、従って携帯端末の操作性を向上することができる。
【００１５】
また、本実施の形態によれば、携帯端末１１０との接続手段として、吸盤３０を使用することにより、携帯端末支持具１０の取り付け位置を容易に調整することができ、さらに着脱も容易に行うことができる。
【００１６】
また、本実施の形態によれば、手の指に巻き付けて固定するための手段として、面ファスナー２０Ｆ及び２０Ｂを使用することにより、指の太さなどに応じて容易に調整することができ、さらに着脱も容易に行うことができる。
【００１７】
また、本実施の形態によれば、吸盤３０、軸４０及び軸受５０を一体的に接続したことにより、携帯端末１１０を操作する際、手のひら上で当該携帯端末１１０を回転させることができ、さらい操作性を向上させることができる。
【００１８】
なお、上述の実施の形態においては、バンドとして、バンド２０を適用した場合について述べたが、本発明はこれに限らず、手の指に巻き付けるための帯状のバンドであって、吸盤配置面側端部には第１の面ファスナー２０Ｆが設けられると共に、吸盤非配置面側端部には第２の面ファスナー２０Ｂが設けられ、中央部分には、貫通孔２０Ｈが穿設された他の種々のバンドを適用するようにしても良い。
【符号の説明】
【００１９】
１０  携帯端末支持具
２０  バンド
２０Ｆ、２０Ｂ  面ファスナー
２０Ｈ  貫通孔
３０  吸盤
４０  軸
５０  軸受
１１０  携帯端末
【図１】
0003195685.tif 000003
【図２】
0003195685.tif 000004
(57)【要約】      （修正有）【課題】外気温の低い秋から春先でも、ハウス底部に温熱部を設け、ゴキブリが暖かい所を好む習性を利用して捕獲効果を高めるゴキブリ捕獲器を提供する。【解決手段】厚紙シートで簡便に組立てられたハウス１の中を、ゴキブリが好む環境にするために、ハウス底部１８を発熱体１５と遠赤外線物体１６を均一に封入した薄い布袋を組合わせた温熱部１２に乗せ、温熱を底面に放熱させない様に発熱体の下面に断熱放射板１７を設ける。ハウス内を一定の温度に保持するために、温熱部より離れたところに電源部を設けて電源コードを介して、発熱体に通電することにより、遠赤外線放射物体を暖めハウス底部に温熱を付与する。【選択図】図４
0003195533.tif 000002
【実用新案登録請求の範囲】
【請求項１】
厚紙シートに簡便に組立てられる様に設計された、ゴキブリを捕獲するためのハウスを、温熱部の上面にハウス底部を乗せることにより、ハウス内をゴキブリの習性を利用した熱を好む環境にする。ハウス内を一定の温度に保持するために、温熱部より離れたところに電源部を設けて、電源コードを介して温熱部の発熱体に通電することにより、遠赤外線放射物体を暖めハウス底部に温熱を付与する温熱を利用したゴキブリ捕獲器。
【考案の詳細な説明】
【技術分野】
【０００１】  本考案は、ゴキブリ捕獲器に温熱を付与することによりゴキブリを効果的に捕獲することを容易にするものである。
【背景技術】
【０００２】  従来のゴキブリ捕獲器は、誘引剤・粘着剤等の性能を利用して捕獲することにこだわり、季節による気温の変化に対応したものが見受けられない為、必ずしもユーザーの満足する捕獲器とはいえないのが現状である。秋から春先にかけての気温が低い時節でも捕獲率を上げる工夫が必要不可欠である。
【考案の開示】
【考案が解決しようとする課題】
【０００３】  ゴキブリが侵入しやすいハウスを一枚の厚紙シートにより簡便に組み立てることが出来る設計にすること、更に温熱をハウス下部に付与することにより、ハウスの中の温度を上げゴキブリが好む環境を提供することが本考案の目的である。
【課題を解決するための手段】
【０００４】  本考案の温熱を利用したゴキブリ捕獲器は、ハウスの組立が簡便でありハウス上面に両面テープで接着した取っ手がある。これを摘まんで楽にごみ処理をすることができる。ハウスと温熱部が分離しており、ハウスは使い捨てだが温熱部は継続して使えるので非常に経済的である。【０００５】  組立後のハウスの形状は、前後左右の四方のゴキブリ入口のフラップが緩やかな傾斜にしてあるのでゴキブリの侵入が容易である。【０００６】  温熱部の構成は、発熱体（線状の細いヒーター）と遠赤外線を放射する物体を袋状の薄い布に均一に封入したものである。発熱体及び平たい袋状の薄い布体は、合せて厚みにして３ミリ程度なのでハウスをその床面よりフラップ先端が浮き上がる様なことがない。更に床面に放熱しない様に発熱体の下部に断熱反射板を設ける。【０００７】  電源部には、乾電池を使用し高温防止の為抵抗器及び温度センサー等で構成する。電源部より電源コードを介して温熱部の発熱体に接続する。
【考案の効果】
【０００８】  上述の様に本考案の温熱を利用したゴキブリ捕獲器は，暖かいところを好むゴキブリの生態を利用して季節による外気温の変化に関係なくハウス内に誘導するために温熱部をハウス下部に設け、秋から春先にかけて外気温の低い時節でも捕獲率を上げることが可能である。
【考案を実施するための最良の形態】
【０００９】  以下、本考案の実施形態を図１〜図４に基づいて説明する。【００１０】  図１〜図２において、一枚の厚紙シート２を所定形状に打ち抜いたものを、所定の折曲げ線（内側へ）３・折曲げ線（外側へ）３Ａ及び切り込み線４を所定形状に折曲げることで、接着剤・誘引剤６を塗布したハウス底面１１と、所定の折曲げ後に両面テープ貼付部５を合わせ接着する。ゴキブリ入口８が４カ所とフラップ７が４カ所を有するハウス１を構成する。【００１１】  ハウス上面１０に取っ手（両面テープ貼付部５）９があり、これを摘まんで楽にゴミ処理することが出来る。【００１２】  図３〜図４において、温熱部１２にハウス１を乗せ電源部１３より電源コード１４を介して温熱部１２の発熱体１５に通電し袋状の薄い布（耐熱紙でもよい）に均一に封入した遠赤外線放射物体１６を温める。温熱を床面に放熱させない様に断熱反射板１７を設ける。
【図面の簡単な説明】
【００１３】
【図１】ゴキブリ捕獲器のハウスを形成する厚紙シートの展開図
【図２】ゴキブリ捕獲器のハウスを組立てた斜視図
【図３】本考案の電気系統図
【図４】温熱部の上にハウスを乗せた中央長手方向の断面図
【符号の説明】
【００１４】１    ハウス
２    厚紙シート
３    折曲げ線（内側へ折り曲げる）
３Ａ  折曲げ線（外側へ折り曲げる）
４    切込み線
５    両面テープ貼付部
６    粘着剤・誘引剤塗布部
７    フラップ
８    ゴキブリ入口
９    取っ手
１０  ハウス上面
１１  ハウス底面
１２  温熱部
１３  電源部
１４  電源コード
１５  発熱体
１６  遠赤外線放射物体
１７  断熱反射板
１８  ハウス底部
【図１】
0003195533.tif 000003
【図２】
0003195533.tif 000004
【図３】
0003195533.tif 000005
【図４】
0003195533.tif 000006
【手続補正書】
【提出日】平成26年11月4日(2014.11.4)
【手続補正１】
【補正対象書類名】実用新案登録請求の範囲
【補正対象項目名】全文
【補正方法】変更
【補正の内容】
【実用新案登録請求の範囲】
【請求項１】
厚紙シートに簡便に組立てられる様に設計された、ゴキブリを捕獲するためのハウスを、温熱部の上面にハウス底部を乗せることにより、ハウス内をゴキブリの習性を利用した温熱を好む環境において、（１）ハウス内を一定の温度に保持するために、温熱部より離れたところに電源部を設けて電源コードを介して、（２）温熱部の発熱体に通電することにより、（３）遠赤外線放射物体を暖めハウス底部に温熱を付与する、以上の（１）〜（３）の構成からなる温熱を利用したゴキブリ捕獲器。
(57)【要約】      （修正有）【課題】本来のスキー板の形状を変化させることがなく、安定した直進性の確保と回転時においてスキー板先端部の回転が助長され、さらにゲレンデコンデションから深雪のバーンまでスキー板先端の浮力が得られるスキー板を提供する。【解決手段】先端のそり返り部１の下面中央部から滑走面２に至るまで順次滑走面との段差を減少させて細幅の突条部４を形成する。また、前記突条部を滑走面に向けて幅広に形成する。【選択図】図２
0003195537.tif 000002
【実用新案登録請求の範囲】
【請求項１】
先端のそり返り部の下面中央部から滑走面にまで順次滑走面との段差を減少させて細幅の突条部を形成したことを特徴とするスキー板。
【請求項２】
前記細幅の突条部を滑走面に向けて幅広に形成したことを特徴とする請求項１に記載のスキー板。
【考案の詳細な説明】
【技術分野】
【０００１】
本考案は、スキー板に関する。
【背景技術】
【０００２】
従来、安定かつ高い直進性を確保しつつ、ターン時の操作性を良好としたスキー板が提案されている。該スキー板は、長手方向に沿い直線状の一対の側壁部が形成され、かつ、その長手方向に沿い外側に張り出す幅が前端部又は後端部に向かうほど大きくなる張出部分が前記直線状の一対の側壁部分における少なくとも一方の上端部に形成され前記直線状の一対の側壁部と前記張出部分とによって段差が形成されていることを特徴としている（特開２００４−８１７３２号公報）。
【先行技術文献】
【特許文献】
【０００３】
【特許文献１】特開２００４−８１７３２号公報
【０００４】
すなわち、前記提案は、スキー板の前端部あるいは後端部の上面に、長手方に沿い外側に張り出す幅が前端部又は後端部に向かうほど大きくなる張出部材を設けたことを特徴としている。
【０００５】
その結果、前記段差の存在により直進性が確保され、曲がるときにはスキー板が傾くことから前方側張出部材の前方張出部分及び後方側張出部材の後方側張出部分並びにこれらに連続する側壁部の中央部分がエッジとして効きスムーズなターンが実現される、としている。しかしながら、前記のスキー板は、張出部分の準備、構成など本来のスキー板の形状の変化を伴うものであった。また、操作性にも変化を伴うものであった。
【考案の概要】
【考案が解決しようとする課題】
【０００６】
本考案は、本来のスキー板の形状を変化させることがなく、安定した直進性の確保と回転時においてスキー先端部の回転が助長され、さらにゲレンデコンデションから深雪のバーンまでスキー板先端の浮力が得られるスキー板を提供することを目的とする。
【課題を解決するための手段】
【０００７】
本考案のスキー板は、先端のそり返り部の下面中央部から滑走面にまで順次滑走面との段差を減少させて細幅の突条部を形成したことを特徴とする（請求項１）。  
【０００８】
前記構成により、滑走を始めると前記順次滑走面との段差を減少させた細幅の突条部が安定した直進性を発揮する。すなわち、フラットな雪面状況でスキー板を滑走させた場合、スキー板先端の滑走面との段差により雪面との抵抗が生じ直線方向にスキー板が導かれる。
【０００９】
また、前記直進性の慣性を基本にスキー板を左右のどちらかに傾斜をさせた場合、スキー板片側の段差により雪面との抵抗が発生し、傾けた方向にスキー板先端が進むことになりスキー板の先端の回転が助長される。
【００１０】
さらに、ゲレンデコンデションから深雪のバーンまでスキー板先端の浮力が得られる。すなわち、突条部を滑走面に向けて段差を減少させたことにより滑走に合わせてスキー板先端の浮力が得られる。
【００１１】
好ましい一実施例として、前記細幅の突条部を滑走面に向けて幅広に形成したことを特徴とする（請求項２）。  
【００１２】
前記構成により、前記の安定した直進性の確保と回転時においてスキー板先端部の回転が助長されるとともに、さらに突条部を滑走面に向けて幅広にしたことにより浮力効果が一層助長される。
【考案の効果】
【００１３】
本考案によれば、本来のスキー板の形状を変化させることがなく、安定した直進性の確保と回転時においてスキー先端部の回転が助長され、さらにゲレンデコンデションから深雪のバーンまでスキー板先端の浮力を得ることができる。
【図面の簡単な説明】
【００１４】
【図１】本考案に係るスキー板の側面図である。
【図２】図１の底面図である。
【図３】図１及び図２の要部斜視図である。
【図４】他の実施例を示すスキー板の底面図である。
【考案を実施するための形態】
【００１５】
スキー板Ｓは、例えば、木材、ポリウレタン樹脂、ポリスチレン樹脂、アクリル系合成樹脂の一種又は併用した中芯体と、ＦＲＰ等の強度部材と、ポリエチレン樹脂等の滑走面材と、ステンレススチール等のエッジ部材で構成される。
【００１６】
本考案では、図１乃至図３に示すように、先端のそり返り部１の下面中央部から滑走面２にまで順次滑走面２との段差３を減少させて細幅の突条部４が形成される。  
【００１７】
前記細幅の突条部４はスキー板Ｓを構成する滑走面材により該滑走面材と一体に形成することが好ましい。もっとも、前記細幅の突条部４を別に成形準備して後に接着剤により取り付けてもよい。  
【００１８】
図４は他の実施例を示す。すなわち、前記細幅の突条部４を滑走面２に向けて幅広５に形成したものである、この実施例の場合も滑走面２に至るまで順次滑走面２との段差３が減少させられる。  
【００１９】
前記構成の本考案のスキー板によれば、安定した直進性の確保と回転時においてスキー先端部の回転が助長され、さらにゲレンデコンデションから深雪のバーンまでスキー板の先端の浮力を得ることができる。
【符号の説明】
【００２０】
１  そり返り部２  滑走面３  段差４  細幅の突条部５  幅広部
【図１】
0003195537.tif 000003
【図２】
0003195537.tif 000004
【図３】
0003195537.tif 000005
【図４】
0003195537.tif 000006
(57)【要約】      （修正有）【課題】薄型の撓み振動型パネルスピーカを提供する。【解決手段】撓み振動型パネル型スピーカをより薄型にするため、アクチュエータの振動板を接着しているサブパネルを削除して、ボイスコイルのボビン部３とボビン部の形状でくり貫いた振動板５を直接に接着剤で接着固定する。【選択図】図３
0003195562.tif 000002
【実用新案登録請求の範囲】
【請求項１】
撓み振動型パネル型スピーカをより薄型にするため現状のアクチュエータのボイスコイルのボビン部と振動板を合体することにより従来よりも薄型にしたことを特徴とする撓み振動型アクチュエータ組立体及び撓み振動型パネルスピーカ。
【考案の詳細な説明】
【技術分野】
【０００１】本考案は、分布振動板型（Ｄｉｓｔｒｉｂｕｔｅｄ  Ｍｏｄｅ）の撓み振動型パネルスピーカに用いる撓み振動型アクチュエータ組立体及び撓み振動型アクチュエータ組立体を備える撓み振動型パネルスピーカに関する。
【背景技術】
【０００２】従来より、音響振動用として撓み振動型パネルスピーカが知られている。従来の撓み振動型パネルスピーカは、平坦であるパネル状の主振動板に、主振動板を励振するアクチュエータを面接触させ、アクチュエータからの振動を主振動板に伝達し、主振動板の撓み振動を利用し発音する分布振動型スピーカである。また主振動板から発せられる音の再現性を高めるために、アクチュエータと主振動板との接触面とを、接着材等で密着させることが一般的である。【０００３】さらに、撓み振動型パネルスピーカは、当該スピーカが装着される装置の筐体とし      て主振動板自体を利用することができる。従って、コーン型スピーカにおいて必要であった、すり鉢状のコーンがピストン運動するための空間が不要となるため、撓み振動型パネルスピーカを採用することによりスピーカを薄くできるという利点がある。従って、スピーカを配置できるスペースを多くとれない装置には、撓み振動型パネルスピーカが広く利用されている。
【発明が解決しようとする課題】
【０００４】撓み振動型パネルスピーカをより薄くするためには、現状の撓み振動型アクチュエータ及び撓み振動型アクチュエータ組立体では限界がある。
【０００５】本考案は、現状の撓み振動型アクチュエータ及び撓み振動型アクチュエータ組立体をさらに薄型にするための撓み振動型アクチュエータ及び撓み振動型アクチュエータ組立体を提供することを目的にする。
【課題を解決するための手段】
【０００６】現状の撓み振動型アクチュエータはサブパネルを介して振動板に接着しているが、上記課題を解決するため、このサブパネルを削除して直接に振動板に接着することにより従来の方式よりサブパネル分だけ薄型にできる。また振動板にボイスコイルのボビンを直接埋め込むため振動板の厚さ分も同時に薄くできる。
【考案の効果】
【０００７】具体的には、撓み振動型アクチュエータのサブパネル部分の厚さ分と振動板の厚さ分だけ薄くなる。
【図面の簡単な説明】
【０００８】
【図１】現状の撓み振動型アクチュエータと撓み振動型アクチュエータ組立体
【図２】実施形態での撓み振動型アクチュエータと撓み振動型アクチュエータ組立体Ａ
【図３】実施形態での撓み振動型アクチュエータと撓み振動型アクチュエータ組立体Ｂ
【考案を実施するための形態】
【０００９】以下、本考案の撓み振動型スピーカを適用した実施形態を図面を参照して説明する。
【００１０】図１は、現状の撓み振動型アクチュエータと撓み振動型アクチュエータ組立体であり、撓み振動型アクチュエータ６のボイスコイルのボビン３にサブパネル４を介して振動板５に接着材で固定している。従って、現状の撓み振動型スピーカの全体の厚さは、振動板と現状の撓み振動型アクチュエータを足した長さとなる。
【００１１】図２は、本考案を実施した形態での撓み振動型アクチュエータと撓み振動型アクチュエータ組立体Ａであり、図１の撓み振動型アクチュエータ６のサブパネル４を削除し、ボイスコイルのボビン３を振動板５（ボビンの形状にくり貫いて）に直接に接着材で固定している。従って、本考案での撓み振動型スピーカの全体の厚さを、現状の撓み振動型スピーカに比べて図１のサブパネル６の厚さ分と振動板の厚さだけ薄くできる。
【００１２】図３は、本考案を実施した形態での撓み振動型アクチュエータと撓み振動型アクチュエータ組立体Ｂであり、図１の撓み振動型アクチュエータ６のサブパネル４を削除し、ボイスコイルのボビン３を振動板５（ボビンの形状に半分位くり貫いて）に直接に接着材で固定している。従って、本考案での撓み振動型スピーカの全体の厚さを、現状の撓み振動型スピーカに比べて図１のサブパネル６の厚さ分と振動板をくり貫いた厚さだけ薄くできる。
【符号の説明】
【００１３】１    ヨーク
２    永久磁石
３    ボイスコイルのボビン
４    サブパネル
５    振動板
６    撓み振動型アクチュエータ
【図１】
0003195562.tif 000003
【図２】
0003195562.tif 000004
【図３】
0003195562.tif 000005
(57)【要約】      （修正有）【課題】上面に布団またはマットレスが載置されて使用されるベッド用床板において、通気性に優れたベッド用床板を提供する。【解決手段】ベッド用床板は、一定の隙間を空けて複数本平行に配設された横桟２と、各横桟に直交するように配設された縦桟３からなり、布団、または、マットレスと接触する横桟上面を凸部と凹部が交互に存在する形状にしたことを特徴とする。布団、または、マットレスとの接地面積が少なくなり、湿気が効率良く排出される。【選択図】図１
0003195563.tif 000002
【実用新案登録請求の範囲】
【請求項１】
上面に布団、または、マットレスが載置されて使用されるベッド用床板において、ベッド用床板は、一定の隙間を空けて複数本平行に配設された横桟と、各横桟に直行するように配設された縦桟からなり、布団、またはマットレスと接触する横桟上面を凸部と凹部が交互に存在する形状にしたことを特徴とするベッド用床板。
【請求項２】
前記ベッド用床板において、横桟の一部または、全体が木製であることを特徴とする請求項１記載のベッド用床板。
【考案の詳細な説明】
【技術分野】
【０００１】本考案は、ベッド用床板に関するものである。
【背景技術】
【０００２】ベッドにおいては、布団やマットレスを、ベッド本体を構成する床板の上に載置して使用されるものがある。この床板には種々のタイプのものがあり、その一つとして縦桟と横桟により構成されたすのこ状床板がある。【０００３】布団、またはマットレスが載置されて使用されるベッド用床板において一定の隙間を空けて複数本平行に配設された横桟と、各横桟に直交するように配設された縦桟からなり、横桟上面のマットレス接触部分が横桟の長手の方向に凸凹形状を形成したものはあるが、これは、布団、または、マットレスから出る湿気が凹部に留まることになる。
【特許文献】特願  ２００１−２８２８８６
【考案の概要】
【考案が解決しようとする課題】
【０００４】人は布団、または、ベッドで就寝する場合、一晩で概ねコップ一杯分の汗をかくと言われている。その汗という湿気の一部は、蒸発もするが、敷いている布団、またはマットレスを通じ、下に流れてく。
その湿気は、布団、または、マットレスを支えている、すのこ状板に伝わっていく。その際、その接する面が大きいと、湿気が分散しにくくなり、布団、またはマットレスに湿気が滞ったり、また、湿気でカビる原因にもなる。
【課題を解決するための手段】
【０００５】湿気が滞ったりしないように、布団、または、マットレスとの接地面積を少なくする為、すのこ床材上面に凸部と凹部が交互に存在する面を設ける。
【考案の効果】
【０００６】布団、またはマットレスが接触する面を、凸部と凹部が交互に存在する面を設たことにより湿気が効率良く排出される。
【図面の簡単な説明】
【図１】本発明にかかるベッド用床板の一つの実施形態を示す全体斜視図。
【図２】図１Ａ部の部分拡大図。
【図３】図１に示すベッド用床板の平面図。
【図４】図１に示すベッド用床板をベッドに設置した状態を示す斜視図。
【符号の説明】１  ベッド用床板本体
２  横桟
３  縦桟
４  凸部
５  凹部
６  ヘッドボード
７  フットボード
８  サイドフレーム
９  ベッド本体
【図１】
0003195563.tif 000003
【図２】
0003195563.tif 000004
【図３】
0003195563.tif 000005
【図４】
0003195563.tif 000006
(57)【要約】      （修正有）【課題】ゴミ袋を開口状態に保持することを容易にするゴミ袋ホルダーを提供する。【解決手段】使用するゴミ袋の開口部の全周囲長よりも断面の全周囲長がやや短い、筒状の枠２０の相対する２面３０に、上が広く下が狭いスリット４０を設ける。使用するゴミ袋の開口側の相対する２か所に結び目を作り、ゴミ袋ホルダーをゴミ袋の開口部の内側に位置させ、ゴミ袋の結び目を外側から内側方向にスリットに通し、陥入させることにより、ゴミ袋は２か所の結び目においてゴミ袋ホルダーに固定され、開口状態に保持される。【選択図】図１
0003195565.tif 000002
【実用新案登録請求の範囲】
【請求項１】
使用するゴミ袋の開口部の全周囲長よりも断面の全周囲長がやや短い、筒状の枠の相対する２面に、上が広く下が狭いスリットを設けたことにより成るゴミ袋ホルダー。
【考案の詳細な説明】
【技術分野】
【０００１】  本考案は、ゴミ袋を開口状態に保ち、よってゴミを容易にゴミ袋に入れることができるホルダーに関するものである。
【背景技術】
【０００２】  ゴミをゴミ袋に入れる時にはゴミ袋を開口させる必要がある。
【考案の概要】
【考案が解決しようとする課題】
【０００３】  本考案はゴミ袋を開口させた状態に保つ器具を提供することを課題とする。
【課題を解決するための手段】
【０００４】  断面が方形である筒状をなす枠の相対する２面にスリットを設ける。【０００５】  上述のスリットは上が広く下が狭い形状とする。
【考案の効果】
【０００６】  本考案のゴミ袋ホルダーを用いてゴミ袋を開口状態にする手順を述べる。まず使用するゴミ袋の開口側の相対する２か所に結び目を作る。次に本考案のゴミ袋ホルダーをゴミ袋の開口部の内側に位置させ、先に作ったゴミ袋の結び目を外側から内側方向にスリットに通し、結び目をスリットへきっちりと陥入させる。【０００７】  以上の手順によりゴミ袋は２か所の結び目においてゴミ袋ホルダーに固定される。したがってゴミ袋は内側にあるゴミ袋ホルダーにより開口状態に保持される。
【図面の簡単な説明】
【０００８】
【図１】は本考案のゴミ袋ホルダーの一実施例である。
【図２】は本考案のゴミ袋ホルダーに使用するゴミ袋である。
【図３】は本考案のゴミ袋ホルダーにゴミ袋を装着したところである。
【考案を実施するための形態】
【０００９】  使用するゴミ袋の開口部の全周囲長よりも断面の全周囲長がやや短い、筒状の枠の相対する２面に、上が広く下が狭いスリットを設けることにより成るゴミ袋ホルダーである。
【実施例】
【００１０】  以下添付図面にしたがって一実施例を説明する。図１において１０は本考案のゴミ袋ホルダーで、２０は筒状の枠、３０は枠２０の相対する２面、４０は面３０の上部に設けたスリットである。【００１１】上記実施例は枠の断面が方形である場合の様態であるが、枠の断面は円形であってもよい。【００１２】図２は使用するゴミ袋の相対する２か所に結び目を作ったところである。【００１３】図３は本考案のゴミ袋ホルダーに上述の方法を用いてゴミ袋を装着したところである。【００１４】  本考案の一実施例は上述のごとき構成であるから、本考案のゴミ袋ホルダーを用いることによりゴミ袋を開口した状態に保持することができる。
【符号の説明】
【００１５】１０  ゴミ袋ホルダー
２０  枠
３０  枠の相対する面
４０  スリット
５０  ゴミ袋
５１  結び目
【図１】
0003195565.tif 000003
【図２】
0003195565.tif 000004
【図３】
0003195565.tif 000005
(57)【要約】      （修正有）【課題】主要な海溝とプレートを図示した地球儀を提供する。【解決手段】主要な海溝を図示しそれらの場所・名称・深さ等を描き入れ、又地震を起こす原因とされているプレートを描き入れそれらの場所・名称等を描き入れた事を特徴とする。これにより、海底の状態の海溝や地震を起こす原因とされているプレートの位置が判り学習教材としての利用ができる。【選択図】図１
0003195507.tif 000002
【実用新案登録請求の範囲】
【請求項１】
本考案は従来の地球儀は海の部分は単に青色で描かれており海底にある海溝や地震を起こす原因とされているプレート等は描かれていませんでしたが本考案は地球儀の表面に通常描かれている各国の配置や国境線の他に主要な海溝を図示しそれらの位置及び場所・名称・深さ等及びプレートの名称・位置を描き入れた事を特徴とする。
【考案の詳細な説明】
【技術分野】
【０００１】本考案は地球儀の表面に通常表示される各国の配置や国境線の他に海溝及びプレートを描き入れた地球儀である。
【背景技術】
【０００２】従来の地球儀は海の部分は単に青色で描かれており海底にある海溝や地震を起こす原因とされているプレート等は描き入れていませんでした。
【考案の概要】
【考案が解決しようとする課題】
【０００３】地球の７割は海の部分であり従来の地球儀はこの海の部分を単なる青色で描かれてしているだけであります。しかし本来は海底には海溝や地震を起こす原因とされているプレートが有ります。本地球儀はそれを描き入れた地球儀です。
【課題を解決するための手段】
【０００４】地球儀の海の部分が海水の無い状態を描き、主要な海溝を図示しそれらの場所・名称・深さ等を描き入れる。又地震を起こす原因とされている主要なプレートを描き入れそれらの場所・名称を描き入れる。
【考案の効果】
【０００５】従来は地球儀では判らなかった海底の状態の海溝や地震を起こす原因とされているプレートの位置等が判り学習教材としての利用ができる。
【図１】
0003195507.tif 000003
【手続補正書】
【提出日】平成25年1月13日(2013.1.13)
【手続補正１】
【補正対象書類名】明細書
【補正対象項目名】全文
【補正方法】変更
【補正の内容】
【考案の詳細な説明】
【技術分野】
【０００１】本考案は地球儀の表面に通常表示される各国の配置や国境線の他に海溝及びプレートを描き入れた地球儀である。
【背景技術】
【０００２】従来の地球儀は海の部分は単に青色で描かれており海底にある海溝や地震を起こす原因とされているプレート等は描き入れていませんでした。
【考案の概要】
【考案が解決しようとする課題】
【０００３】地球の７割は海の部分であり従来の地球儀はこの海の部分を単なる青色で描かれてしているだけであります。しかし本来は海底には海溝や地震を起こす原因とされているプレートが有ります。本地球儀はそれを描き入れた地球儀です。
【課題を解決するための手段】
【０００４】地球儀の海の部分が海水の無い状態を描き、主要な海溝を図示しそれらの場所・名称・深さ等を描き入れる。又地震を起こす原因とされている主要なプレートを描き入れそれらの場所・名称を描き入れる。
【考案の効果】
【０００５】従来は地球儀では判らなかった海底の状態の海溝や地震を起こす原因とされているプレートの位置等が判り学習教材としての利用ができる。
【図面の簡単な説明】
【０００６】
【図１】本考案の太平洋側からの斜視図
【手続補正２】
【補正対象書類名】実用新案登録請求の範囲
【補正対象項目名】全文
【補正方法】変更
【補正の内容】
【実用新案登録請求の範囲】
【請求項１】
地球儀の表面に通常描かれている各国の位置や国境線の他に主要な海溝を図示しそれらの位置及び場所・名称・深さ及びプレートの名称・位置を描き入れた事を特徴とする海溝及びプレートを描き入れた地球儀。
【手続補正３】
【補正対象書類名】図面
【補正対象項目名】全図
【補正方法】変更
【補正の内容】
【図１】
0003195507.tif 000004